(57)【要約】      （修正有）【課題】簡単な構造により防水性の改善が図られ、かつ廉価な保安ボックスを提供する。【解決手段】右側板部、背板部、左側板部、底板部及び天板部６からなるボックス本体と、扉板部７と、扉板部７に設けられた書類収納ポケット７１と、を備えた保安ボックスであって、天板部６には、扉板部７の上辺部と天板部の下辺部とが重なり合う上下辺合わせ部６３から、前方へ突出した天板部の先端の下辺部に断面円弧形状からなる水切り溝６１が、天板部６の正面視左右方向に亘って形成され、扉板部７には、水切り溝６１の下方の位置に、上下辺合わせ部６３から前方、かつ下方に形成される扉板部の段差部６５と、天板部の下辺部との間に構成されるコ字状空間６７が、扉板部の正面視左右方向に亘って形成されている。【選択図】図１４
0003219102.tif 000002
【実用新案登録請求の範囲】
【請求項１】
右側板部、背板部、左側板部、底板部及び天板部の５面から構成され、保管物を収納する保管空間、及び前記保管物を前記保管空間に出し入れする前面開口を有するボックス本体と、
前記底板部及び前記天板部に回転自在に軸支され、前記ボックス本体の前記前面開口を開閉する扉板部と、
前記扉板部の内側に設けられ、書類を収納するための書類収納ポケットと、を備えた保安ボックスであって、
前記天板部は、前記扉板部を閉めた際に、前記扉板部の上辺部と前記天板部の下辺部とが重なり合う上下辺合わせ部から、前方へ突出した前記天板部の先端の前記下辺部に断面円弧形状からなる水切り溝が、前記天板部の正面視左右方向に亘って形成されるとともに、
前記扉板部は、前記扉板部を閉めた際に、前記水切り溝の下方の位置に、前記上下辺合わせ部から前方、かつ下方に形成されてなる前記扉板部の段差部と、前記天板部の前記下辺部との間に構成されてなるコ字状空間が、前記扉板部の正面視左右方向に亘って形成されてなる、
ことを特徴とする保安ボックス。
【請求項２】
前記書類収納ポケットは、前記書類を収納する書類収納部と、前記書類を前記書類収納部に出し入れするポケット開口部と、を備えてなり、
前記ポケット開口部の上側に、庇機能を有する左右方向断面視凹型の出っ張り部が、前記ポケット開口部の幅より広く、かつ中央を頂点として左右両端に向ってなだらかに傾斜した山形形状で、正面視左右方向に亘って形成されてなる、
ことを特徴とする請求項１に記載の保安ボックス。
【請求項３】
前記右側板部は、前記扉板部を閉めた際に、前記扉板部の側端と当接する断面視で段差形状からなる前記右側板部の側端が、正面視上下方向に亘って形成されてなり、
前記段差形状は、Ｌ字形状をしてなり、前記扉板部の前記側端に当接する当接部と、前記扉板部の前記側端に重なり合う側端合わせ部と、を具備し、
前記側端合わせ部に断面凹形状からなる水切り溝が、前記右側板部の正面視上下方向に亘って形成されてなる、
ことを特徴とする請求項１又は２に記載の保安ボックス。
【考案の詳細な説明】
【技術分野】
【０００１】
本考案は、消火器を含む保管物、及び書類等を収納して保管する保安ボックスに関する。
【背景技術】
【０００２】
保安ボックスは、例えば、住宅建築等の工事現場に一時的に設置され、現場での備品保管として、消火器、消火用バケツ、ヘルメット等の保安、防災用品をはじめ、工具、清掃用品、住宅建築用各種書類等を多目的に収納して利用されている。
【０００３】
例えば、特許文献１には、消火器を含む保管物を収納する保管空間、及び前記保管物を前記保管空間に出し入れする前面開口を有するボックス本体と、前記ボックス本体に回転自在に軸支され、前記ボックス本体の前記前面開口を開閉する扉パネルと、前記ボックス本体の前記保管空間内に配置され、書類を収納する書類収納ポケットと、を備え、前記書類収納ポケットは、前記書類を収納する書類収納空所と、前記書類を前記書類収納空所に出し入れする書類出入口と、を有する保安ボックスが知られている。
【先行技術文献】
【特許文献】
【０００４】
【特許文献１】実用新案登録第３２０５５７２号公報
【考案の概要】
【考案が解決しようとする課題】
【０００５】
しかしながら、従来の保安ボックスでは、主に屋内で使用されることを想定されたものであり、保安ボックスとしては、工事現場等の屋外に設置される場合も多く、雨ざらしで使用されるため、扉パネルを閉めた際に、天井パネルと扉パネルとの合わせ部の隙間を介して、雨水等の水が保安ボックスの中に浸入してしまうことがあり、防水性の点で問題があった。
【０００６】
また、保安ボックスに完全な防水構造を採用するには、高額の製造コストが掛かるために、保安ボックスの市場性が低くなるという課題があり、そこで、簡単な構造によって、少々の雨においても水の浸入を防ぐとともに、水の浸入があった場合でも収納されている書類の濡れ防止が可能で、かつ廉価な保安ボックスの市場投入の要望があった。
【課題を解決するための手段】
【０００７】
本考案に係る請求項１は、右側板部、背板部、左側板部、底板部及び天板部の５面から構成され、保管物を収納する保管空間、及び前記保管物を前記保管空間に出し入れする前面開口を有するボックス本体と、前記底板部及び前記天板部に回転自在に軸支され、前記ボックス本体の前記前面開口を開閉する扉板部と、前記扉板部の内側に設けられ、書類を収納するための書類収納ポケットと、を備えた保安ボックスであって、前記天板部は、前記扉板部を閉めた際に、前記扉板部の上辺部と前記天板部の下辺部とが重なり合う上下辺合わせ部から、前方へ突出した前記天板部の先端の前記下辺部に断面円弧形状からなる水切り溝が、前記天板部の正面視左右方向に亘って形成されるとともに、前記扉板部は、前記扉板部を閉めた際に、前記水切り溝の下方の位置に、前記上下辺合わせ部から前方、かつ下方に形成されてなる前記扉板部の段差部と、前記天板部の前記下辺部との間に構成されてなるコ字状空間が、前記扉板部の正面視左右方向に亘って形成されてなる、ことを特徴とする保安ボックスである。
【０００８】
本考案に係る請求項２は、前記書類収納ポケットは、前記書類を収納する書類収納部と、前記書類を前記書類収納部に出し入れするポケット開口部と、を備えてなり、前記ポケット開口部の上側に、庇機能を有する左右方向断面視凹型の出っ張り部が、前記ポケット開口部の幅より広く、かつ中央を頂点として左右両端に向ってなだらかに傾斜した山形形状で、正面視左右方向に亘って形成されてなる、ことを特徴とする請求項１に記載の保安ボックスである。
【０００９】
本考案に係る請求項３は、前記右側板部は、前記扉板部を閉めた際に、前記扉板部の側端と当接する断面視で段差形状からなる前記右側板部の側端が、正面視上下方向に亘って形成されてなり、前記段差形状は、Ｌ字形状をしてなり、前記扉板部の前記側端に当接する当接部と、前記扉板部の前記側端に重なり合う側端合わせ部と、を具備し、前記側端合わせ部に断面凹形状からなる水切り溝が、前記右側板部の正面視上下方向に亘って形成されてなる、ことを特徴とする請求項１又は２に記載の保安ボックスである。
【００１０】
前記右側板部、前記背板部及び前記左側板部は、前記右側板部と前記背板部の右側がヒンジ部を介して接続され、かつ前記背板部の左側と前記左側板部がヒンジ部を介して接続されてなることにより、３つの部材が一体で構成されてなり、熱可塑性樹脂をブロー成型で一体成型することによって、前記右側板部、前記背板部及び前記左側板部が展開状態で中空の板部に形成されてなる。
【００１１】
また、前記扉板部、前記天板部及び前記底板部は、それぞれ、熱可塑性樹脂をブロー成型することによって、個別に中空の板部に形成されてなる。なお、前記天板部及び前記底板部は、同一構成となっているために、前記天板部と前記底板部の内側同士を相対して配置することにより兼用して使用することとしても良い。
【００１２】
また、前記ボックス本体の内側に複数枚載置する棚板は、前記扉板部、前記天板部及び前記底板部と同様に、熱可塑性樹脂をブロー成型することによって、中空の板部に形成されてなる。
【００１３】
ブロー成型で展開状態に一体成型された前記右側板部、前記背板部及び前記左側板部は、前記ヒンジ部で平面視コ字状に折り曲げ、前記右側板部及び前記左側板部の下端側に前記底板部を螺子で螺着して取り付け、前記右側板部及び前記左側板部の上端側に前記天板部を螺子で螺着して取り付けることにより、前記コ字状の前面が開放されてなる前記前面開口を有する前記ボックス本体が形成されてなる。
【００１４】
前記扉板部は、前記扉板部の左側端の上端部及び下端部から、それぞれ突設した回転軸が、前記天板部と前記底板部に形成された軸支持凹部に係合されて回転自在（旋回自在）に軸支されることにより、前記ボックス本体の前記前面開口を開閉可能に構成されてなる。
【００１５】
前記右側板部、前記背板部及び前記左側板部の内側には、前記棚板を受ける棚受部が相対して上下に複数突設されてなり、前記棚板が前記棚受部に一枚若しくは複数枚載置することにより、前記ボックス本体の中に棚を設けることができる。
【００１６】
前記書類収納ポケットは、前記中空の板部が膨出してなる前記書類収納部と、前記書類収納部の上面が開口してなる前記ポケット開口部と、は、Ａ４サイズの各種資料が収納できる大きさを有してなることが好ましい。
【００１７】
前記扉板部を閉めた後の前記扉板部の閉状態を維持するために、前記扉板部と前記右側板部の前記当接部の上部に引っ掛け金具を備えるとともに、前記扉板部と前記右側板部を施錠するために、前記扉板部と前記右側板部の前記当接部の上下中央部に施錠用孔付き取っ手を有してなる。
【考案の効果】
【００１８】
本考案に係る請求項１によれば、前記天板部の先端下辺部の前記水切り溝が前記天板部の正面視左右方向に亘って形成されてなるとともに、前記扉板部と前記天板部の間に構成されてなるコ字状空間が前記扉板部の正面視左右方向に亘って形成されてなるので、雨が降ってきた場合、前記ボックス本体の上から雨水が流れ落ちていく中で、最初に前記水切り溝で水を切ることができ、次に水が切られた状態の水がコ字状空間に流れ落ちて、さらに前記扉板部を伝って流れ落ちるので、前記上下辺合わせ部に水が浸入することを極力防ぐことができる。
【００１９】
本考案に係る請求項２によれば、雨の降り方が強くなる等、水の浸入を防げなくなって、前記上下辺合わせ部を介して前記ボックス本体の中に僅かな水が浸入してきた場合、前記ポケット開口部の上側に位置する庇機能を有する前記出っ張り部が正面視左右方向に亘って形成されてなるので、前記扉板部の内側を伝って水の滴が流れ落ちたとしても、前記出っ張り部の凹部に水の滴が流れて、前記山形形状の左右両端に流れ落ちることにより、前記ポケット開口部に水が入ることがなくなり、最低限の機能として、前記書類が濡れることを防ぐことができる。
【００２０】
本考案に係る請求項３によれば、横殴りの雨水の浸入に対して、前記側端合わせ部に前記水切り溝が前記右側板部の正面視上下方向に亘って形成されてなるので、横殴りの雨から水が流れ落ちていく中で、前記当接部を介して水が浸入したとしても、前記水切り溝で水が下へ流れ落ちることになって、前記ボックス本体の中に水が浸入しにくくなる。
【００２１】
このように、本考案の前記保安ボックスによれば、前記ボックス本体の中に雨水等の水が浸入する可能性のある前記扉板部と前記天板部の前記上下辺合わせ部の先端に前記水切り溝を設けるとともに、前記水切り溝の下方に前記コ字状空間を設け、さらに前記扉板部と前記右側板部の前記側端合わせ部に前記水切り溝を設けてなるので、雨水等の水の浸入を極力防ぐことができる。
【００２２】
また、前記上下辺合わせ部を介して前記ボックス本体の中に僅かの水が浸入してきた場合であっても、前記扉板部の内側に庇機能を有する前記出っ張り部を設けてなるので、水の滴が前記ポケット開口部から前記書類収納部に入ることを防止することが可能となり、簡単な構造により防水性の改善が図られ、かつ廉価な前記保安ボックスを提供することができる。
【図面の簡単な説明】
【００２３】
【図１】本考案の保安ボックスの一実施例を示し、保安ボックス１の正面上側から見た斜視図である。
【図２】本考案の保安ボックスの一実施例を示し、保安ボックス１の正面図である。
【図３】本考案の保安ボックスの一実施例を示し、保安ボックス１の背面図である。
【図４】本考案の保安ボックスの一実施例を示し、保安ボックス１の平面図である。
【図５】本考案の保安ボックスの一実施例を示し、保安ボックス１の底面図である。
【図６】本考案の保安ボックスの一実施例を示し、保安ボックス１の右側面図である。
【図７】本考案の保安ボックスの一実施例を示し、保安ボックス１の左側面図である。
【図８】本考案の保安ボックスの一実施例を示し、図２のＡ−Ａ断面図である。
【図９】本考案の保安ボックスの一実施例を示し、図２のＢ−Ｂ断面図である。
【図１０】本考案の保安ボックスの一実施例を示し、図２のＣ−Ｃ断面図である。
【図１１】本考案の保安ボックスの一実施例を示し、図２のＤ−Ｄ断面図である。
【図１２】本考案の保安ボックスの一実施例を示し、図６のＥ−Ｅ断面図である。
【図１３】本考案の保安ボックスの一実施例を示し、図６のＦ−Ｆ断面図である。
【図１４】本考案の保安ボックスの一実施例を示し、図１１のＧ部拡大図である。
【図１５】本考案の保安ボックスの一実施例を示し、図１２のＨ部拡大図である。
【図１６】本考案の保安ボックスの一実施例を示し、天板部６の正面図である。
【図１７】本考案の保安ボックスの一実施例を示し、底板部５と兼用する天板部６の底面図である。
【図１８】本考案の保安ボックスの一実施例を示し、図１６のＩ部拡大図である。
【図１９】本考案の保安ボックスの一実施例を示し、図１７のＪ部拡大図である。
【図２０】本考案の保安ボックスの一実施例を示し、天板部６の水切り溝６１を正面下側から見た斜視図である。
【図２１】本考案の保安ボックスの一実施例を示し、扉板部７を外した状態の右側面図である。
【図２２】本考案の保安ボックスの一実施例を示し、図２１のＫ−Ｋ断面図である。
【図２３】本考案の保安ボックスの一実施例を示し、図２１のＬ−Ｌ拡大断面図である。
【図２４】本考案の保安ボックスの使用方法の一例として、扉板部７を全開にした状態の使用状態を示す参考図である。
【考案を実施するための形態】
【００２４】
以下、本考案に係る実施の形態について、図１乃至図２４を参照しながら詳しく説明する。
【００２５】
本考案の保安ボックス１は、図１乃至図１３、図２１及び図２４に示すように、右側板部２、背板部３、左側板部４、底板部５及び天板部６の５面から構成され、保管物を収納する保管空間Ｚ、及び保管物を保管空間Ｚに出し入れする前面開口Ａを有するボックス本体１１と、底板部５及び天板部６に回転自在に軸支され、ボックス本体１１の前面開口Ａを開閉する扉板部７とを備えている。
【００２６】
右側板部２、背板部３及び左側板部４は、図８乃至図１０に示すように、右側板部２と背板部３の右側がヒンジ部Ｈ１を介して接続され、かつ背板部３の左側と左側板部４がヒンジ部Ｈ２を介して接続されてなることにより、３つの部材が一体で構成されてなり、熱可塑性樹脂、例えば、ポリエチレン樹脂のパリソンをブロー成型で一体成型することによって、右側板部２、背板部３及び左側板部４が展開状態で矩形の中空の板部に形成されてなる。
【００２７】
また、右側板部２、背板部３及び左側板部４は、図１１乃至図１３に示すように、右側板部２、背板部３及び左側板部４の内側には、所定の間隔を空けて、棚板８，９を受ける右側板部２の棚受部２１、背板部３の棚受部３１、左側板部４の棚受部４１がそれぞれ相対して上下に複数突設されてなり、棚板８，９が棚受部２１，３１，４１に複数枚載置されてなる。
【００２８】
底板部５は、図５、図１１及び図１２に示すように、平面視前方側の左右のコーナー５５，５５が面取りされた形状をしてなり、熱可塑性樹脂、例えば、ポリエチレン樹脂のパリソンをブロー成型することによって、矩形の中空の板部に形成されてなる。また、底板部５は、天板部６と同一構成となっているので、底板部５と天板部６は兼用することができる。
【００２９】
また、底板部５は、天板部６と兼用するために、図１７に示すように、天板部６と底板部５に形成された消火器収納凹部５１を有するとともに、図１７及び図２４に示すように、扉板部７から突設した回転軸７７を係合するための軸支持凹部５３を有してなる。
【００３０】
天板部６は、底板部５と同一構成となっているので、図４、図１１及び図１２に示すように、天板部６と底板部５の内側同士を相対して配置することにより兼用して使用することができる。
【００３１】
扉板部７は、図８に示すように、底板部５及び天板部６の形状に合わせて、平面視前方側の左右のコーナーが面取りされた形状をしてなり、図８、図９、図１１、図１２及び図２４に示すように、扉板部７の内側に設けられ、書類Ｐを収納するための書類収納ポケット７１を備えてなり、書類収納ポケット７１は、書類Ｐを収納する書類収納部７３と、書類Ｐを書類収納部７３に出し入れするポケット開口部７５とを有しており、熱可塑性樹脂、例えば、ポリエチレン樹脂のパリソンをブロー成型することによって、矩形の中空の板部に形成されてなる。
【００３２】
棚板８，９は、図８、図９、図１１乃至図１３に示すように、熱可塑性樹脂、例えば、ポリエチレン樹脂のパリソンをブロー成型することによって、矩形の中空の板部に形成されてなる。棚板９は、図９に示すように、消火器Ｅを収納するための円形切欠き部９１を有してなる。
【００３３】
展開状態に一体成型された右側板部２、背板部３及び左側板部４は、ヒンジ部Ｈ１，Ｈ２で平面視コ字状に折り曲げ、右側板部２及び左側板部４の下端側に底板部５を螺子Ｂで螺着して取り付け、右側板部２及び左側板部４の上端側に天板部６を螺子Ｂで螺着して取り付けることにより、図８乃至図１０、及び図２１に示すように、コ字状で前面が開放されてなる前面開口Ａを有するボックス本体１１が形成されてなる。
【００３４】
扉板部７は、図１７及び図２４に示すように、扉板部７の左側端の上端部及び下端部から、それぞれ突設した回転軸７７，７７が、天板部６と底板部５に形成された軸支持凹部５３，５３に挿入係合されて回転自在に軸支されることにより、ボックス本体１１の前面開口Ａを開閉可能に構成されてなる。
【００３５】
扉板部７を閉めた後、扉板部７の閉状態を維持するために、図１乃至図６に示すように、扉板部７と右側板部２の当接部２３の上部に引っ掛け形のフックＦを備えるとともに、扉板部７と右側板部２を施錠するために、扉板部７と右側板部２の当接部２３の上下中央部に施錠用孔付きの取っ手Ｇを有してなる。
【００３６】
天板部６は、図１１、図１４、図１６乃至図２０に示すように、扉板部７を閉めた際に、扉板部７の上辺部と天板部６の下辺部とが重なり合う上下辺合わせ部６３から、前方へ突出した天板部６の先端の下辺部に断面円弧形状からなる水切り溝６１が、天板部６の正面視左右方向に亘って形成されてなる。
【００３７】
扉板部７は、図１１及び図１４に示すように、扉板部７を閉めた際に、水切り溝６１の下方の位置に、上下辺合わせ部６３から前方、かつ下方に形成されてなる扉板部７の段差部６５と、天板部６の下辺部との間に構成されてなるコ字状空間６７が、扉板部７の正面視左右方向に亘って形成されてなる。
【００３８】
このように、水切り溝６１とコ字状空間６７が形成されてなることによって、雨が降ってきた場合、ボックス本体１１の上から水Ｗ１が流れ落ちていく中で、最初に水切り溝６１で水を切ることができ、次に水が切られた状態の水Ｗ１がコ字状空間６７に流れ落ちて、さらに扉板部７の表面を伝って下に流れ落ちるので、上下辺合わせ部６３に水が浸入することを極力防ぐことができる。
【００３９】
図１１、図１２、図１４及び図１５に示すように、ポケット開口部７５の上側に、庇機能を有する左右方向断面視凹型の出っ張り部７６が、ポケット開口部７５の幅より広く、かつ中央を頂点として左右両端に向ってなだらかに傾斜した山形形状７９で、正面視左右方向に亘って形成されてなる
【００４０】
このように、出っ張り部７６が形成されてなることによって、雨の降り方が強くなる等、上下辺合わせ部６３を介してボックス本体１１の中に僅かな水Ｗ２が浸入してきた場合、扉板部７の内側を伝って水Ｗ２の滴が流れ落ちたとしても、図１４及び図１５に示すように、出っ張り部７６の凹部７２に水Ｗ２の滴が流れて、山形形状７９の左右両端に流れ落ちることにより、ポケット開口部７５に水Ｗ２が入ることがなくなり、書類Ｐが濡れることを防ぐことができる。
【００４１】
図８乃至図１０、及び図２１乃至図２３に示すように、右側板部２は、扉板部７を閉めた際に、扉板部７の側端７４と当接する断面視で段差形状からなる右側板部２の側端１３が、正面視上下方向に亘って形成されてなり、段差形状は、Ｌ字形状をしてなり、扉板部７の側端７４に当接する当接部２３と、扉板部７の側端７４に重なり合う側端合わせ部１５と、を具備し、側端合わせ部１５に断面凹形状からなる水切り溝２５が、右側板部２の正面視上下方向に亘って形成されてなる。
【００４２】
このように、側端合わせ部１５に水切り溝２５が右側板部２の正面視上下方向に亘って形成されてなるので、横殴りの雨から水Ｗ３が流れ落ちていく中で、当接部２３を介して水が浸入したとしても、水切り溝２５で水が下へ流れ落ちることになって、ボックス本体１１の中に水が浸入しにくくなる。
【００４３】
本考案の保安ボックス１によれば、天板部６の下辺に設けた水切り溝６１が、また、天板部６と扉板部７の上下辺合わせ部６３の下方に設けたコ字状空間６７が、さらに、扉板部７と右側板部２の側端合わせ部１５に設けた水切り溝２５が、それぞれ形成されてなるので、雨水等の水Ｗ１，Ｗ３の浸入をできるだけ防ぐことができる。
【００４４】
また、上下辺合わせ部６３を介してボックス本体１１の中に僅かの水Ｗ２が浸入してきた場合であっても、扉板部７の内側に庇機能を有する出っ張り部７６を設けてなるので、水Ｗ２の滴がポケット開口部７５から書類収納部７３に入ることを防止することが可能となり、簡単な構造で雨水の浸入防止が図られ、かつ廉価な保安ボックス１を提供することができる。
【００４５】
このようにしてなる保安ボックス１は、図２４に示すように、底板部５に形成された消火器収納凹部５１に消火器Ｅを収納し、最下段にバケツＴを収納するとともに、下から二段目の棚板９スリッパＳを載置し、その上の棚板８にヘルメットＣを載置し、扉板部７に形成された書類収納ポケット７１に書類Ｐを収納して使用することができる。
【符号の説明】
【００４６】
１    保安ボックス
１１    ボックス本体
１３    側端
１５    側端合わせ部
２    右側板部
２１    棚受部
２３    当接部
２５    水切り溝
３    背板部
３１    棚受部
４    左側板部
４１    棚受部
５    底板部
５１    消火器収納凹部
５３    軸支持凹部
５５    コーナー
６    天板部
６１    水切り溝
６３    上下辺合わせ部
６５    段差部
６７    コ字状空間
７    扉板部
７１    書類収納ポケット
７２    凹部
７３    書類収納部
７４    側端
７５    ポケット開口部
７６    出っ張り部
７７    回転軸
７９    山形形状
８    棚板
９    棚板
９１    円形切欠き部
Ａ    前面開口
Ｂ    螺子
Ｃ    ヘルメット
Ｅ    消火器
Ｆ    フック
Ｇ    取っ手
Ｈ１    ヒンジ部
Ｈ２    ヒンジ部
Ｐ    書類
Ｓ    スリッパ
Ｔ    バケツ
Ｗ１    水
Ｗ２    水
Ｗ３    水
Ｚ    保管空間
【図１】
0003219102.tif 000003
【図２】
0003219102.tif 000004
【図３】
0003219102.tif 000005
【図４】
0003219102.tif 000006
【図５】
0003219102.tif 000007
【図６】
0003219102.tif 000008
【図７】
0003219102.tif 000009
【図８】
0003219102.tif 000010
【図９】
0003219102.tif 000011
【図１０】
0003219102.tif 000012
【図１１】
0003219102.tif 000013
【図１２】
0003219102.tif 000014
【図１３】
0003219102.tif 000015
【図１４】
0003219102.tif 000016
【図１５】
0003219102.tif 000017
【図１６】
0003219102.tif 000018
【図１７】
0003219102.tif 000019
【図１８】
0003219102.tif 000020
【図１９】
0003219102.tif 000021
【図２０】
0003219102.tif 000022
【図２１】
0003219102.tif 000023
【図２２】
0003219102.tif 000024
【図２３】
0003219102.tif 000025
【図２４】
0003219102.tif 000026